【手続補正書】
【提出日】平成28年11月11日(2016.11.11)
【手続補正１】
【補正対象書類名】特許請求の範囲
【補正対象項目名】全文
【補正方法】変更
【補正の内容】
【特許請求の範囲】
【請求項１】
対向する表面を有する内側容器と外側容器を備える容器であって、該対向する表面の少なくとも１つの少なくとも部分が、約０．１Raよりも高い表面粗さを有し、及び／又は、前記対向する表面の粗さの差異が、少なくとも部分にわたって約０．１Raを超える、前記容器。
【請求項２】
前記少なくとも１つの表面は、該内側容器の外側表面である、請求項１に記載の容器。
【請求項３】
該内側容器及び該外側容器は、それぞれ首領域を有し、該内側容器の該首領域の外側表面部分、及び／又は、該外側容器の該首領域の内側表面部分は、少なくとも０．１Raの表面粗さを有する、請求項１又は２に記載の容器。
【請求項４】
前記表面粗さは、少なくとも０．２５Ra、好ましくは０．２５と２との間、より好ましくは０．２５と１との間、である、請求項１〜３のいずれか１項に記載の容器。
【請求項５】
前記表面粗さは、少なくとも０．３Raである、請求項４に記載の容器。
【請求項６】
表面の少なくとも部分について前記表面粗さを有する該内側容器、及び／又は、外側容器は、該容器のプラスチック壁のプラスチック形成鎖の間に、該壁に囲まれた粒子を含む、請求項１〜５のいずれか１項に記載の容器。
【請求項７】
該粒子は、前記容器の該壁の該プラスチックとは異なる物質、特に金属、で作られているか、又は、前記容器の該壁の該プラスチックとは異なる物質、特に金属、を少なくとも含む、請求項６に記載の容器。
【請求項８】
該粒子は、小片、特に金属小片、より特別にはアルミニウム小片、であるか、又は、小片、特に金属小片、より特別にはアルミニウム小片、を含む、請求項６又は７に記載の容器。
【請求項９】
該粒子は、重量％で、０．５％と５％との間、特に０．５％と２．５％との間、より特別には０．５％と２％との間、である、請求項６〜８のいずれか１項に記載の容器。
【請求項１０】
該容器は、プリフォーム−イン−プリフォームにより一体的にブロー成形され、該プリフォームの少なくとも１つは、その射出成形後に少なくとも部分において粗くされ、及び／又は、該プリフォームの少なくとも１つは、少なくとも部分的に粗くされた金型表面を有する金型内で射出成形され、及び／又は、該プリフォームの少なくとも１つは、プラスチック、特にＰＥＴ、の発泡表面層を備える、請求項１〜９のいずれか１項に記載の容器。
【請求項１１】
該内側容器及び該外側容器の、好ましくは両方の、少なくとも１つは、ＰＥＴ又はＰＥＴブレンド、又は、類似の結晶性若しくは半結晶性プラスチック、で作られ、該内側容器は、該外側容器へ、該内側容器と該外側容器との間の空間を閉塞している首領域で接続され、少なくとも１つの開口部が加圧媒体を前記空間内に導入するために前記空間内に備えられ、該容器は、該外側容器が該内側容器に当接する本体を有し、及び、該内側容器は、前記加圧媒体によって絶対圧で２バール未満の圧力で圧縮されうる、請求項１〜１０のいずれか１項に記載の容器。
【請求項１２】
第二プリフォーム内に第一プリフォームを備えるプリフォームアセンブリからブロー成形された容器、好ましくは請求項１〜１１のいずれか１項に記載の容器、であって、該容器の第一層は、該第一プリフォームから形成され、及び、該第一層の外側の第二層は、該第二プリフォームから形成され、該第一プリフォームのプラスチック材料は、該第二層を形成するための該第二プリフォームの該プラスチック材料よりも、該第一層を形成するためにさらに延伸される、上記容器。
【請求項１３】
該内側容器及び該外側容器はそれぞれ首領域を有し、ここで、該内側容器の該首領域の外側表面部分、及び／又は、該外側容器の該首領域の内側表面部分は、少なくとも０．１Raの表面粗さを有し、且つ、少なくとも本体形成部分の、該内側容器の該外側表面の別の表面部分、及び、該外側容器の該内側表面の別の表面部分、の両者は、同じ表面粗さを有するか、又は、より低い表面粗さを有する、請求項１〜１２のいずれか１項に記載の容器。
【請求項１４】
該外側容器は、透明又は半透明であり、着色されえ、且つ、該内側容器は、不透明又は非透明であり、好ましくは光を反射する外側外観、例えば銀色、を有している、請求項１〜１３のいずれか１項に記載の容器。
【請求項１５】
容器、特に請求項１〜１４のいずれか１項に記載の容器を一体的にブロー成形するためのプリフォームセットであって、少なくとも外側プリフォーム及び該外側プリフォーム内に少なくとも部分的に適合する内側プリフォームを備え、両者は、首形成部分、肩形成部分、及び、本体形成部分を有し、該内側及び外側プリフォームの内の少なくとも第一番目は、該内側及び外側プリフォームの他方と接触する表面領域を有し、ここで、
−  前記表面領域の少なくとも部分は、少なくとも０．１Raの表面粗さを有し、及び／又は、それが接触する該内側及び外側プリフォームの他方の表面エリアの表面粗さよりも少なくとも０．１Ra高い表面粗さを有しており、及び／又は、
−  前記表面領域の少なくとも部分は、前記プリフォームのアセンブリから一体的にブロー成形された容器において、前記表面領域から形成された該容器の該表面エリアが、少なくとも０．１Raの表面粗さ、及び／又は、該隣接容器の隣接表面エリアの表面粗さよりも少なくとも０．１Ra高い表面粗さ、を有するような、表面粗さを有している、上記プリフォームセット。
【請求項１６】
前記第一プリフォームは、該内側プリフォームである、請求項１５に記載のプリフォームセット。
【請求項１７】
前記第一プリフォームは、プラスチックから射出成形され、壁を有しており、該壁の中に粒子、特に小片、が分散され、それらは、該プラスチックのモノマー、及び／又は、ポリマー鎖の間に囲まれる、請求項１５又は１６に記載のプリフォームセット。
【請求項１８】
該粒子、特に小片、は、該プラスチックとは異なる物質、特に金属粒子、又は、金属化粒子、を包含している、請求項１７に記載のプリフォームセット。
【請求項１９】
該粒子は、光を反射し、及び／又は、着色された粒子であり、特に、少なくとも部分的に銀色を有する粒子であり、例えばアルミニウムで作られる、請求項１７又は１８に記載のプリフォームセット。
【請求項２０】
該粒子は、小片であるか、又は、小片を包含する、請求項１７〜１９のいずれか１項に記載のプリフォームセット。
【請求項２１】
該粒子は、該粒子、及び／又は、該プラスチックの融点よりも低い融点を有する物質、特にワックス又はワックスタイプ物質、好ましくはプリフォームの前記セットから容器をブロー成形する間、及び／又は、後で、該プリフォーム、又は、容器から凝結させられないワックスタイプ物質、の層内に含有される、請求項１７〜２０のいずれか１項に記載のプリフォームセット。
【請求項２２】
少なくとも第一及び第二プリフォームを備え、容器をブロー成形するためのプリフォームセット、好ましくは請求項１５〜２１のいずれか１項に記載のプリフォームセット、であって、該第一プリフォームは、該各プリフォームを該容器へブロー成形する前は、該第二プリフォームの内部に配置され、各プリフォームは、約８ｍｍ未満の、好ましくは約６ｍｍ未満の、壁厚を持つ本体形成部分を有する、プリフォームセット。
【請求項２３】
該プリフォームの少なくとも１つは、それらの射出成形の後に、少なくとも部分において粗くされ、及び／又は、該プリフォームの少なくとも１つは、少なくとも部分的に粗くされた金型表面を有する金型内に射出成形される、請求項１５〜２２のいずれか１項に記載のプリフォームセット。
【請求項２４】
射出成形後に粗くされたか、又は、前記粗くされた金型内において形成された、該プリフォームの該部分の表面粗さは、約０．１Ra以上、特に０．３Raを超え、より特には０．５Raを超え、例えば０．６〜０．７Raの間、である、請求項２３に記載のプリフォームセット。
【請求項２５】
少なくとも該第二プリフォーム、好ましくは該第一及び該第二プリフォーム、は、標準ＰＥＴ、好ましくは結晶化阻止添加剤を用いないもの、で作られている、請求項１５〜２４のいずれか１項に記載のプリフォームアセンブリ。
【請求項２６】
該プリフォームアセンブリは、多層プリフォームを形成し、該各プリフォーム、又は、各層の少なくとも１つは、前記粒子、特に小片、を包含する、請求項１５〜２５のいずれか１項に記載のプリフォームアセンブリ。
【請求項２７】
容器をブロー成形するためのプリフォームアセンブリを形成するための方法であって、第一プリフォームが射出成形され、且つ、第二プリフォームが射出成形され、該第一プリフォームは、該第二プリフォーム内に挿入され、及び／又は、該第二プリフォームは、該第一プリフォームを覆って与えられ、該複数のプリフォームの少なくとも１つ、好ましくは該第一プリフォーム、は、プラスチックとは異なる粒子、特に金属粒子、及び／又は、金属化粒子、例えば金属小片、及び／又は、金属化小片、を含有する該プラスチック塊から射出成形される、上記方法。
【請求項２８】
該粒子は、射出成形前に該プラスチック塊へ添加され、該粒子は、異なる物質、特に該プラスチックの融解温度よりも低い融解温度を有する物質、で作られた被覆層に少なくとも部分的に囲まれ、及び／又は、該被覆層を備える、請求項２７に記載の方法。